(57)【要約】      （修正有）【課題】ディスクを標記するための構造に係るもので、複数収納されているディスクの間に隔てを設け標記するのに用いられ、前記ディスクは支柱体を貫通することにより縦にまとめられる。【解決手段】前記支柱体に穿設する挿入部とマーク部は前記挿入部と前記マークの間を伸び部により接続し、前記挿入部には中央部から外に向かって切り込みが設置され、前記切り込みは前記支柱体を挿入することができ、前記挿入部と前記伸び部は平面を形成し、前記マーク部と前記平面は垂直で、前記挿入部の中央乃至前記マーク部を軸ベクトルとし、前記切り込みの方向は前記軸ベクトルと平行しない。  【選択図】図２
0003132825.tif 000002
【実用新案登録請求の範囲】
【請求項１】
複数収納されているディスクの間に隔てを設け標記するのに用いられ、前記ディスクは支柱体を貫通することにより縦にまとめられる構造であって、
前記支柱体に穿設する挿入部とマーク部は前記挿入部と前記マークの間を伸び部により接続し、前記挿入部には中央部から外に向かって切り込みが設置され、前記切り込みは前記支柱体を挿入することができ、前記挿入部と前記伸び部は平面を形成し、前記マーク部と前記平面は垂直で、前記挿入部の中央乃至前記マーク部を軸ベクトルとし、前記切り込みの方向は前記軸ベクトルと平行しないことを特徴とするディスクを標記するための構造。
【請求項２】
前記挿入部と前記ディスク中央におけるリング状突起部当接箇所に第一凸状リングを設置し前記第一凸状リングの直径は前記突起部の直径に相当することを特徴とする請求項１に記載のディスクを標記するための構造。
【請求項３】
前記挿入部と前記ディスク中央におけるリング状突起部当接箇所に凹状リングを設置し前記凹状リングの直径は前記突起部の直径に相当することを特徴とする請求項１に記載のディスクを標記するための構造。
【請求項４】
前記挿入部の他面が前記第一凸状リングまたは前記凹状リングに対応する位置に第二凸状リングを設置することを特徴とする請求項２または３に記載のディスクを標記するための構造。
【請求項５】
前記挿入部の切り込み方向は前記伸び部の間近にあり且つ前記軸ベクトルとの夾角が９０度より小さいことを特徴とする請求項１に記載のディスクを標記するための構造。
【請求項６】
前記挿入部、マーク部と前記伸び部が一体形成されることを特徴とする請求項１に記載のディスクを標記するための構造。
【請求項７】
前記挿入部の切り込み中央乃至前記マーク部の長さが少なくとも前記ディスクの半径よりも大きいことを特徴とする請求項１に記載のディスクを標記するための構造。
【請求項８】
前記マーク部と前記伸び部がＬ字型に結合することを特徴とする請求項１に記載のディスクを標記するための構造。
【請求項９】
前記マーク部と前記伸び部がＴ字型に結合することを特徴とする請求項１に記載のディスクを標記するための構造。
【考案の詳細な説明】
【技術分野】
【０００１】
本考案はディスクを標記するための構造に関わり、特に脱落しにくいディスクを標記するための構造である。
【背景技術】
【０００２】
一般的に良く用いられているCD,VCD,DVDのようなディスクは大量のデータを保存するために使われ、その体積が小さく、携帯に便利でコストが安いなどのメリットがあるので、業界やユーザーに幅広く受け入れられている。現在データが保存されているディスクを収納する方法はいろいろあるが、主に一枚収納と複数枚収納とがある。一枚収納方式はプラスチックディスクケース、ナイロン製不繊布袋、紙保護袋等であり、複数枚収納方式の多くは複数枚の保護袋を備える収納ケースにより収納しているが、前記収納ケースは複数枚の保護袋の使用が必要となるので収納空間が減少し且つ不必要に重くなってしまう。現在よく用いられているディスク収納筒を図１に示す。前記ディスク収納筒は上蓋１と土台２を含み、前記上蓋１と前記土台２にはそれぞれ複数の留め金装置３、３’が設けられており、前記土台２の中央に支柱体４が設置され、前記支柱体４はディスク５の中央の穴６を通すことができる。前記ディスク収納筒はその他の構造を必要とせず大量のディスク５を収納出来るので、収納空間を無駄なく利用することができる。しかし前記積み重なったディスク５から必要なディスク５を取り出す時、ディスク５に標記されている記号を一枚づつ探さなくてはならないので、非常に不便である。従来のディスクラベルは前記ディスク収納筒内に収納されているディスク５の分類と標記に用いられ、図１に示すように、前記ディスクラベルは円型本体７を有し、前記本体７の中央から縁まで開口部８が設けられ、前記開口部８は前記ディスク収納筒の支柱体４を挿入することができ、前記本体７の縁にはディスク５を標記するための分類記号と一体成型されているマーク部９が設置されている。異なる種類のディスク５はそれぞれ前記ディスクラベルにより区分し、且つ前期マーク部９上の記号により必要なディスク５を容易に取り出すことができる。しかし前記マーク部９は前記本体７と一体成型しており並びに平面を形成しているので、もし上蓋１の内径が小さすぎると、前記土台２と固定することができなくなり、ひいてはディスク収納筒が前記上蓋１を被せていないと、前記ディスクラベルは震動や傾斜により容易に前記支柱体４から脱落してしまう。
【考案の開示】
【考案が解決しようとする課題】
【０００３】
そこで、本考案の目的は簡単にディスクの分類と標記ができ、またディスク収納筒の上蓋と土台を固定できるだけではなく、傾斜や震動時に脱落が起こるのを防ぐことである。
【課題を解決するための手段】
【０００４】
上記の目的を達成するために、本考案は複数収納されているディスクの間に隔てを設け標記するのに用いられ、前記ディスクは支柱体を貫通することにより縦にまとめられるディスクを標記するための構造であって、前記ディスクを標記するための構造は前記支柱体に穿設する挿入部とマーク部を含み、前記挿入部と前記マークの間を伸び部により接続し、前記挿入部、マーク部と前記伸び部が一体形成され、前記挿入部と前記伸び部は平面を形成し、前記マーク部と前記平面は垂直で、前記マーク部と前記伸び部がＬ字型状或いはＴ字型に結合し、ディスク分類をし易いように前記マーク部上に記号を標記することができる。前記挿入部には中央部から外に向かって切り込みが設置され、前記切り込みは前記支柱体を挿入することができ、前記挿入部の中央乃至前記マーク部を軸ベクトルとし、前記切り込みの方向は前記伸び部の間近にあり且つ前記軸ベクトルとの夾角が９０度より小さい。従って、取り出し用の引っ掛け部が設けられている前期支柱体のディスクを標記するための構造は、前記切り込みが側面から後方に移動することで取り出せ、ディスクを標記するための構造は前記支柱体から脱落しにくい。この他、前記挿入部と前記ディスク中央におけるリング状突起部当接箇所に第一凸状リング或いは凹状リングを設置し前記第一凸状リングと前記凹状リングの直径は前記突起部の直径に相当し、前記挿入部の他面が前記第一凸状リングまたは前記凹状リングに対応する位置に第二凸状リングを設置し、前記凸状リング或いは凹状リングはディスクを隔てる空間を増やしたり前記接触するディスクを固定するためのものである。
【考案の効果】
【０００５】
本考案によればディスク収納筒の上蓋と土台を固定できるだけではなく、傾斜や震動時に脱落が起こるのを防ぐことである。
【考案を実施するための最良の形態】
【０００６】
本考案の詳細な説明と技術内容については図を用いながら以下に示す。図２、図３に本考案であるディスクを標記するための構造の概観概略図と他の実施例における外観概略図である。図に示すように、本考案は複数収納されているディスク（図には示していない）の間に隔てを設け標記するのに用いられ、前記ディスクはディスク収納筒（図には示していない）に収納できる。前記ディスクを標記するための構造は前記ディスク収納筒に固定されている挿入部１１とマーク部１３を含み、前記マーク部
１３は平面を形成しており記号を標記するのに用いられ、前記挿入部１１と前記マーク部１３の間は伸び部１２により接続され、前記挿入部１１、前記伸び部１２とマーク部１３が一体形成されている。前記挿入部１１には中央部から外に向かって切り込み１１１が設置され、前記切り込み１１１は前記支柱体を固定することができ、前記切り込み１１１中央乃至前記マーク部１３の長さが少なくとも前記ディスクの半径よりも大きく、ひいては前記マーク部１３の内縁がちょうど前記ディスクの外縁で係止される。前記挿入部１１と前記伸び部１２が平面を形成し、前記マーク部１３と前記平面は垂直で、前記マーク部１３と前記伸び部１２がＬ字型（図２に示すように）或いはＴ字型（図３に示すように）に結合する。
【０００７】
図４に本考案であるディスクを標記するための構造の使用概略図を示す。前記ディスクを標記するための構造は前記ディスク収納筒を組み合わせ、前記ディスク収納筒は土台２１を含み、且つ上蓋（図には示していない）に接続され、前記土台２１中央から延伸している支柱体２２は前記ディスク３０の中央の穴３１を貫通することにより前記ディスク３０を縦にまとめ収納することができる。前記ディスクを標記するための構造の挿入部１１は前記切り込み１１１により前記支柱体２２を係止でき、前記挿入部１１の中央乃至前記マーク部１３を軸ベクトルとし、前記切り込み１１１の方向は前記軸ベクトルと平行せず、前記挿入部１１の切り込み１１１方向は前記伸び部１２の間近にあり且つ前記軸ベクトルとの夾角が90度より小さい。ディスクを標記するための構造全体が留め金式で、前記切り込み１１により前記ディスク収納筒の支柱体２２を係止するので、まず前記ディスク収納筒を前記切り込み１１１の方向にそって移動させた後、前記ディスク収納筒の支柱体２２から取り外せる。このように、従来のディスクラベルと比べ、前期ディスク収納筒は外力により震動或いは傾斜し前記ディスクを標記するための構造が脱落して収納されているディスク３０の種類を識別できなくなるということはほとんどない。
【０００８】
図４のA-A軸の断面図を図５に示すが、一般的なディスク３０の中央部の裏面にリング型突起部３２が設置され、本考案であるディスクを標記するための構造の挿入部１１と前記ディスク３０中央における突起部３２の当接箇所に第一凸状リング１１２を設置し、前記第一凸状リング１１２の直径は前記突起部３２の直径に相当し、前記挿入部１１の他面が前記第一凸状リング１１２に対応する位置に第二凸状リング
１１３を設置する。この他、図６に示すように、前記挿入部１１の第一凸状リング１１２の位置に凹状リング１１４を設け、前記凹状リング１１４の直径は前記突起部３２の直径に相当する。前記挿入部１１の両面に設置されている前記第一、第二凸状リング１１２、１１３は前記第一凸状リング１１２と前記ディスク３０の突起部３２を接触させた後隙間を形成するので、ディスクを隔てるのに便利且つ前記ディスク
３０表面の接触することにより出来るこすり傷を防ぐことが出来る。別の実施例において、前記挿入部１１の両面にそれぞれ前記第二凸状リング１１３と凹状リング
１１４が設置され、前記接触しているディスク３０の突起部３２とそれぞれ係止できるので、前記ディスクを標記するための構造を前記上層のディスク３０にいくらか固定することができる。
【０００９】
上記本考案のディスクを標記するための構造は前記挿入部１１の切り込み１１１により前記支柱体２２に係止され、並びに前記積み重なったディスク３０に挿入され、ディスク３０の分類を便利にするために標記したい記号を前記マーク部上に記載できる。前記挿入部１１の切り込み１１１方向は前記伸び部１２の間近にあり且つ前記軸ベクトルとの夾角が90度より小さいので、前記ディスクを標記するための構造が震動或いは傾斜により脱落し難く、ディスクの分類があいまいになることはない。
【００１０】
しかし、以上述べたことは、本考案における最良の実施例の詳細な説明と図にすぎず、本考案の特徴はこれだけに限られず、本考案を制限するものではない。本考案のすべての範囲は上記の請求範囲に準じ、本考案の請求範囲の主旨と類似した実施例に合致し、本発明の範疇に属する。この領域を熟知している技術者が、本特許の範囲内で、手を加え、変更したものはすべて、上記の特許請求の範囲内に含まれる。
【図面の簡単な説明】
【００１１】
【図１】従来のディスクラベルを用いたディスク収納筒を示す外観概略図。
【図２】本考案であるディスクを標記するための構造を示す概観概略図。
【図３】本考案であるディスクを標記するための構造の第二実施例における概観概略図。
【図４】本考案であるディスクを標記するための構造の使用概略図。
【図５】本考案であるディスクを標記するための構造の第二実施例におけるA-A断面概略図。
【図６】本考案であるディスクを標記するための構造の第三実施例におけるA-A断面概略図。
【符号の説明】
【００１２】
１１  挿入部
１１１  切り込み
１１２  第一凸状リング
１１３  第二凸状リング
１１４  凹状リング
１２  伸び部
１３  マーク部
２２  支柱体
３０  ディスク
３２  突起部
【図１】
0003132825.tif 000003
【図２】
0003132825.tif 000004
【図３】
0003132825.tif 000005
【図４】
0003132825.tif 000006
【図５】
0003132825.tif 000007
【図６】
0003132825.tif 000008